(57)【特許請求の範囲】
【請求項１】
第１の外部機器と接続する接続手段と、
第２の外部機器と無線通信を行う通信手段と、
前記接続手段により前記第１の外部機器と接続しているか否かを検出する検出手段と、
前記検出手段により前記第１の外部機器と接続していることが検出された場合に、前記通信手段が前記第２の外部機器と無線通信するのに用いる周波数を変更する条件を示す動作条件情報の送信を前記第１の外部機器に要求し、前記第１の外部機器から送信された動作条件情報に応じて、前記第１の外部機器が第３の外部機器と無線通信を行っている場合は第１の周波数により前記第２の外部機器と通信し、前記第１の外部機器が前記第３の外部機器と無線通信を行っていない場合は第２の周波数により前記第２の外部機器と通信するように制御する制御手段
と、
を備えていることを特徴とする無線通信端末装置。
【請求項２】
前記第１の外部機器はナビゲーション装置であることを特徴とする請求項１に記載の無線通信端末装置。
【請求項３】
前記第３の外部機器は道路交通情報を送信する送信機であることを特徴とする請求項２に記載の無線通信端末装置。
【請求項４】
前記第２の外部機器はハンズフリー装置であることを特徴とする請求項１乃至３のいずれか一に記載の無線通信端末装置。
【請求項５】
前記無線通信端末装置は、前記周波数の変更を報知する報知手段を備えていることを特徴とする請求項１乃至４のいずれか一に記載の無線通信端末装置。
【請求項６】
前記接続手段は、無線接続により前記第１の外部機器と接続することを特徴とする請求項１乃至５のいずれか一に記載の無線通信端末装置。
【請求項７】
第１の外部機器と接続する接続手段と、第２の外部機器と無線通信を行う通信手段と、前記第１の外部機器と接続しているか否かを検出する検出手段と、制御手段と、を備えてなる無線通信端末装置を制御する制御方法であって、
前記検出手段が前記接続手段により前記第１の外部機器と接続しているか否かを検出し、
前記制御手段が前記第１の外部機器と接続していることが検出された場合に、前記通信手段が前記第２の外部機器と無線通信するのに用いる周波数を変更する条件を示す動作条件情報の送信を前記第１の外部機器に要求し、
前記制御手段が前記第１の外部機器から送信された動作条件情報に応じて、前記第１の外部機器が第３の外部機器と無線通信を行っている場合は第１の周波数により前記第２の外部機器と通信し、前記第１の外部機器が前記第３の外部機器と無線通信を行っていない場合は第２の周波数により前記第２の外部機器と通信するように制御することを特徴とする制御方法。
【請求項８】
前記第１の外部機器はナビゲーション装置であり、前記第３の外部機器は道路交通情報を送信する送信機であることを特徴とする請求項７に記載の制御方法。
【請求項９】
前記第２の外部機器はハンズフリー装置であることを特徴とする請求項７又は８に記載の制御方法。
【請求項１０】
前記無線通信端末装置は、前記周波数の変更を報知する報知手段を備えていることを特徴とする請求項７乃至９のいずれか一に記載の制御方法。
【請求項１１】
ナビゲーション装置及び無線通信端末を有するシステムであって、
前記ナビゲーション装置は、道路の状況を示す道路情報を受信する受信手段と、前記無線通信端末と接続する第１の接続手段と、を備え、
前記無線通信端末は、前記ナビゲーション装置と接続する第２の接続手段と、外部機器と無線通信を行う通信手段と、前記第２の接続手段により前記ナビゲーションと接続しているか否かを検出する検出手段と、制御手段と、を備え、
前記制御手段は、前記検出手段により前記ナビゲーション装置と前記無線通信端末が接続されていることが検出された場合に、前記通信手段が前記外部機器と無線通信するのに用いる周波数を変更する条件を示す動作条件情報の送信を前記ナビゲーション装置に要求し、前記ナビゲーション装置から送信された動作条件情報に応じて、前記ナビゲーション装置が前記受信手段により前記道路情報を受信している場合は第１の周波数により前記外部機器と無線通信を行うように制御し、前記ナビゲーション装置が前記受信手段により前記道路情報を受信していない場合は第２の周波数により前記外部機器と無線通信を行うように制御することを特徴とするシステム。
【請求項１２】
前記外部機器はハンズフリー装置であることを特徴とする請求項１１に記載のシステム。
【請求項１３】
前記無線通信端末は、前記周波数の変更を報知する報知手段を備えていることを特徴とする請求項１１又は１２に記載のシステム。
【発明の詳細な説明】
【０００１】
【発明の属する技術分野】
本発明は無線通信機能を有する無線通信端末装置およびこれを用いたシステムに関する。
【０００２】
【従来の技術】
近年、無線通信機器の小型化に伴い、無線通信機器を組込んだ機器が普及している。自動車のナビゲーションシステムの場合には、例えば特開平１０−３１７６８号公報で示されているように、位置情報取得のため人工衛星からの電波を受信したり、道路交通情報取得のため路上送信機からの電波を受信する複数の受信機能が内蔵されている。この文献では、複数の無線通信機能を車載端末機器に内蔵した場合を示しているが、車載端末機器の外部に、携帯電話等の無線通信端末装置を接続する場合も考えられる。
【０００３】
一方、携帯電話等の携帯端末機器間を無線接続する規格が標準化されており、日本では社団法人電波産業会で策定する第二世代小電力データ通信システム／ワイヤレスＬＡＮシステム（ＡＲＩＢ  ＳＴＤ−Ｔ６６）が存在している。この規格は、車載端末機器同士間、あるいは車載端末機器と外部接続端末の間の接続に適用することが考えられている。
【０００４】
【発明が解決しようとする課題】
しかしながら、車載端末機器においては、車載端末機器に内蔵された無線通信機と、車載端末機器に外部接続された無線通信端末機器に設けられた無線通信機とが、車内に複数混在する状況となる。例えば、車のナビゲーションシステムの無線通信端末装置と、外部より車内に持ち込んた携帯電話の無線通信端末装置と車内に載置される携帯電話のハンズフリー装置からなる複数の無線通信端末装置からなるシステムが該当する。ここで、携帯電話のハンズフリー装置は、携帯電話の無線通信端末装置と組み合わせて、携帯電話を持たないで通話できるようにした、マイクとスピーカとアンプ等を有する装置である。
【０００５】
このような複数の無線通信端末装置からなるシステムにおいて、車載端末機器に内蔵された無線通信装置は、外部の交通情報通信情報を受信し、携帯電話の無線通信端末装置と携帯電話のハンズフリー装置の無線通信端末装置間は、無線で通信のやりとりをおこなう。したがって、交通情報通信情報の受信周波数と、無線で通信のやりとりをおこなう交信周波数とが、同一周波数帯を使用する場合には、電波干渉が発生してしまうおそれがある。また、同一周波数帯を使用しない場合でも、交通情報通信情報の受信周波数を通す妨害抑圧フィルタで、上記交信周波数を除去することが困難な近傍周波数を、上記交信周波数が使用している場合には、同様の現象が発生する。加えて、これらの無線通信端末装置は、車内において近傍で接続して利用され、その配置は利用者が任意に決めるため、距離確保による減衰やシールド設置による対策ができない。
【０００６】
本発明の目的は、複数の無線通信端末装置が混在する環境において、通信効率を向上させる無線通信端末装置およびこれを用いたシステムを提供することにある。
【０００７】
【課題を解決するための手段】
本発明は、無線通信機能を有する端末装置において、外部接続機器の有無を検出する接続手段と、変更通信動作条件を記憶した記憶手段と、前記接続手段が外部接続機器を検出した場合、前記記憶手段に記憶の通信変更動作条件に従って通信動作を切換える制御手段とを備えてなることを特徴とする無線通信端末装置である。
【０００８】
本発明は、無線通信機能を有する端末装置において、外部接続機器の有無を検出する接続手段と、前記接続手段が外部接続機器の接続を検出した場合、外部接続機器より通信動作条件を取得する手段と、取得した通信動作条件に従って通信動作を切り換える制御手段とを備えてなることを特徴とする無線通信端末装置である。
【０００９】
本発明は、前記切り換えの報知をする報知手段をさらに備えてなることを特徴とする無線通信端末装置である。
【００１０】
本発明で、前記接続手段が有線接続または無線接続により外部接続機器を検出することを特徴とする無線通信端末装置である。
【００１２】
本発明は、上記いずれか一つに記載の無線通信端末装置からなる携帯電話である。
【００１３】
本発明は、上記いずれか一つに記載の無線通信端末装置からなる道路交通情報通信システムの車載装置である。
【００１４】
本発明は、上記いずれか一つに記載の無線通信端末装置が、複数からなり、有線接続または無線接続により接続されてなることを特徴とする無線通信端末装置を用いたシステムである。
【００１５】
【発明の実施の形態】
図１は本発明の無線通信端末装置を用いたシステムの第１の実施の形態の構成を示す図である。システムは、道路交通情報通信システムにおけるナビゲーション機能を有する無線通信端末装置（以下第１端末という）１０と、携帯電話（以下第２端末という）２０および携帯電話２０のハンズフリー装置（以下第３端末という）３０からなり、通話を利用する。
【００１６】
第１端末１０は、道路交通情報用路上送信機からの信号を受信する第１無線通信手段１１と、第１端末１０が道路交通情報用路上送信機からの信号を受信した時の動作条件を記憶の記憶手段１２と、記憶手段１２で記憶の動作条件をもとに第１端末１０の動作を制御する制御手段１３と、記憶手段１２で記憶の動作条件を外部に出力する接続部１４とを備えている。
【００１７】
第２端末２０は、基地局からの信号を受信する第２無線通信手段２１と、第２端末２０が基地局からの信号を受信した時の動作条件を記憶の記憶手段２２と、記憶手段２２で記憶の動作条件をもとに第２端末２０の動作を制御する制御手段２３と、第１端末１０の接続部１４よりケーブル４０を通して入力される入力信号を受けて制御手段２３に伝達する接続部２４と、制御手段２３により報知される報知手段２５と、第２端末２０と第３端末３０との交信を行う第３無線通信手段２６を備えている。
【００１８】
第３端末３０は、第３端末３０と第２端末２０との交信を行う第３無線通信手段３１を備えている。
【００１９】
ここで、第２端末２０の第３無線通信手段２６と第３端末３０の第３無線通信手段３１は、第二世代小電力データ通信システム／ワイヤレスＬＡＮシステム（ＡＲＩＢ  ＳＴＤ−Ｔ６６）の規格に準拠した無線通信手段により無線接続されている。前述の規格により、２．４ＧＨｚ〜２．４８３５ＧＨｚの周波数で交信される。それに対して、第１端末１０の第１無線通信手段１１が受信するところの道路交通情報用路上送信機からの受信周波数は、特開平１０−３１７６８号公報で示されているように２．５ＧＨｚを用いている。
【００２０】
次に、第２端末２０の動作を説明する。接続部２４は、ケーブル４０で第１端末１０と接続されていることを検出する外部接続検出部を備えている。さらに、記憶手段２２は、第２端末２０の第３無線通信手段２６と第３端末３０の第３無線通信手段３１間の通信動作条件であって、自端末すなわち第２端末２０のみでの動作条件と、第１無線通信手段１１が道路交通情報用路上送信機からの信号を受信する時の変更動作条件とを記憶している。
【００２１】
ここで、動作条件としては、図２に図示のように、実線で図示の無線周波数または帯域幅の自端末のみでの動作条件２２１と、自端末のみでの動作条件２２１に対して、第１端末１０の第１無線通信手段１１の受信周波数２．５ＧＨｚを充分減衰させるよう点線で図示の無線周波数をシフトまたはその高域を下側にシフトした帯域幅の動作条件２２２とを記憶している。
【００２２】
制御手段２３は、記憶手段２２が記憶している動作条件２２１を参照して、第３無線通信手段２６内の図示していない周波数シンセサイザの動作周波数を設定する。そして、接続部２４が外部接続機器である第１端末１０を検出した場合、検出に応答して、制御手段２３は、外部接続機器に該当する動作条件図２では変更動作条件２２２を参照して、第３無線通信手段２６内の図示していない周波数シンセサイザの動作周波数を変更設定する。
【００２３】
また、動作条件は、図３に図示のように、自端末のみでの動作条件２２１と、自端末のみでの動作条件２２１に対して、第１端末１０の第１無線通信手段１１の交信周波数を受信している時間あるいはそのタイミングを切換えた変更動作条件２２２を、記憶手段２２に記憶していてもよい。この場合には、第１端末１０の第１無線通信手段１１の交信周波数を受信している時間あるいはそのタイミングにおいて、第３無線通信手段２６内の図示していない送信増幅器の出力を、図２の変更動作条件２２２に切換える。
【００２４】
ここで、第１無線通信手段１１の受信時間は５秒程度であり、第１端末１０は、道路交通情報用路上送信機からの信号を受信してからただちに第３無線通信手段２６の通信を停止するようにしてもよく、このような動作条件を記憶手段２２が記憶している。この動作条件の制御は、制御手段２３が行う。また、第１端末１０はナビゲーション機能を備えているので、道路交通情報用路上送信機の位置情報から第１無線通信手段１１の受信時刻またはタイミングを変更動作条件として記憶手段２２に記憶してもよい。
【００２５】
図４は、第２端末２０の制御手順のフローを示す図である。まず、接続部２４に備えられている外部接続検出部が、外部接続機器が有るかどうかを検出する（Ｓ４１）。有りの場合、記憶手段２２に動作条件の設定が有るかどうかを、制御手段２３がみる（Ｓ４２）。有りの場合には、動作条件を変更し（Ｓ４３）、変更したことを報知手段２５に報知して、ユーザに認知させる（Ｓ４４）。
【００２６】
ここで、外部接続機器が有るかどうかの検出が接続部２４でなされ、図１においては、ケーブル４０による有線接続によるが、それに代えて、無線接続による接続にして、通信回線がつながったことにより無線接続が有りとしてもよい。
【００２７】
したがって、本実施の形態によれば、複数の無線通信機器が混在する環境において、干渉を抑圧することができ、通信効率を向上させる無線通信端末装置およびこれを用いたシステムを実現することができる。
【００２８】
次に、本発明の無線通信端末装置を用いたシステムの第２の実施の形態について、説明する。
【００２９】
システム構成は、図１と同様であるが、自端末の動作条件設定が自端末内に記憶されているのではなく、外部接続機器１０に記憶されている場合であり、その動作条件情報に応じて自端末の動作条件を切換えるよう制御する。
【００３０】
図５は、第２端末２０の制御手順のフローを示す図である。
【００３１】
まず、接続部２４に備えられている外部接続検出部が、外部接続機器が有るかどうかを検出する（Ｓ５１）。有りの場合、動作条件情報を外部接続機器である第１端末１０に要求する（Ｓ５２）。要求にしたがって、第１端末１０は動作条件を送信する（Ｓ５３）。第２端末２０は動作条件を受信する（Ｓ５４）。次に記憶手段２２に動作条件の設定が有るかどうかを、制御手段２３がみる（Ｓ５５）。有りの場合には、動作条件を変更し（Ｓ５６）、変更したことを報知手段２５に報知して、ユーザに認知させる（Ｓ５７）。
【００３２】
本実施の形態では、外部接続相手の提供する動作条件情報に応じて自端末の動作条件を設定するので、接続の組合わせに最適な条件で、通信効率を向上させる無線通信端末装置およびこれを用いたシステムを実現することができる。
【００３３】
次に、本発明の無線通信端末装置を用いたシステムの第３の実施の形態について、説明する。
【００３４】
システム構成は、図１と同様であり、第２の実施の形態と同様、自端末の動作条件設定が外部接続機器１０に記憶されており、その動作条件情報に応じて自端末の動作条件を切換えるよう制御する。
【００３５】
図６は、第２端末２０の制御手順のフローを示す図である。本フローは、図５のフローの場合において、外部接続機器から動作条件情報だけでなく時間情報を含む動作条件情報を取得する場合である。
【００３６】
まず、接続部２４に備えられている外部接続検出部が、外部接続機器が有るかどうかを検出する（Ｓ６１）。有りの場合、動作条件情報を外部接続機器である第１端末１０に要求する（Ｓ６２）。要求にしたがって、第１端末１０は動作条件を送信する（Ｓ６３）。第２端末２０は動作条件を受信する（Ｓ６４）。次に記憶手段２２に動作条件の設定が有るかどうかを、制御手段２３がみる（Ｓ６５）。有りの場合には、記憶手段２２に時間の設定が有るかどうかを、制御手段２３がみる（Ｓ６６）。有りの場合には、第１端末１０よりの時間情報の送信（Ｓ６７）を、第２端末２０が受信し（Ｓ６８）、動作条件を変更し（Ｓ６９）、変更したことを報知手段２５に報知して、ユーザに認知させる（Ｓ７０）。
【００３７】
このように、外部接続機器である第１端末１０より取得した動作条件情報に時間に依存する条件が含まれている場合、第２端末２０は時間情報を第１端末１０より取得するとともに、取得した時間情報に応じて自端末の動作条件を切換える。ナビゲーションシステム（第１端末１０）の場合、路上送信機の位置等から第１無線通信手段１１の動作時刻・期間を求め、この期間のみ携帯電話（第２端末２０）に動作条件の切換えを行うよう時間情報を送信する。この時間情報を受信した携帯電話（第２端末２０）は、時間情報で指定された期間のみ動作条件を切換えるように制御する。あるいはナビゲーションシステム（第１端末１０）が路上送信機からの信号を受信したとき、携帯電話（第２端末２０）に動作条件の切換えを行う。
【００３８】
本実施の形態では、外部接続相手の提供する動作条件情報に応じて自端末の動作条件をより細かく設定できるので、接続の組合わせに最適な条件で、通信効率を向上させる無線通信端末装置およびこれを用いたシステムを実現することができる。
【００３９】
図７は、本発明の無線通信端末装置を用いたシステムの第４の実施の形態の構成を示すシステム構成図である。本実施の形態では、端末間の接続が有線ケーブルではなく、無線接続であり、且つ、第２端末２０の第３無線通信手段２６が、第１端末１０の第２端末２０への伝達手段としての第３無線通信手段１５の無線接続を兼ねている。動作条件の情報は、前述の実施の形態で示したように自端末内にあっても外部接続機器内にあっても良い。本実施の形態によれば、端末間の接続が容易になるとともに、通信効率を向上させる無線通信端末装置およびこれを用いたシステムを実現することができる。
【００４０】
次に、本発明の無線通信端末装置を用いたシステムの第５の実施の形態について、説明する。
【００４１】
システム構成は、図１と同様である。本実施の形態では、接続機器を検出する代わりに、送られてきたデータが検出できないという通信エラーを検出することにより、自端末周辺に無線通信機器が有るかを判別する。図７に示す第２端末２０の第３無線通信手段２６が、前述のＡＲＩＢ  ＳＴＤ−Ｔ６６に準拠した、周波数ホッピング方式無線通信手段である。周波数ホッピング方式は、通信に用いる周波数帯域内に複数のチャネルを設け、このチャネルを時分割に予め定められた順序で切換えて通信を行う。あるチャネルにおいて通信エラーが発生した場合には、次に通信するチャネルを用いて再送する処理を行うなどして、通信情報の欠落を防ぐ。この外部からの電波により干渉を受けた場合、通信エラーが発生する。
【００４２】
図８は第２端末２０の制御手順のフローを示す図である。無線通信手段２６で、通信エラーが発生したかどうかを検出する（Ｓ８１）。検出した場合、通信エラーの発生した周波数チャネルを記憶手段２２に記憶する（Ｓ８２）。特定のチャネルにおけるエラー発生回数が所定のしきい値を超えたかどうかを判断し（Ｓ８３）、超えた場合にそのチャネルを通信チャネルから除外するよう、第３無線通信手段２６に対して、制御手段２３で制御する（Ｓ８４）。
【００４３】
本実施の形態によれば、端末間の接続を検出する必要がなく、通信効率を向上させる無線通信端末装置およびこれを用いたシステムを実現することができる。
【００４４】
以上の実施の形態においては、道路交通情報通信システムの車載装置と携帯電話で説明したが、その他の通信機器においても本発明は有効であり、同じ効果を得ることができる。
【００４５】
【発明の効果】
本発明によれば、通信効率を向上させる無線通信端末装置およびこれを用いたシステムを提供することができる。
【図面の簡単な説明】
【図１】本発明の無線通信端末装置を用いたシステムの第１の実施の形態の構成を示す図である。
【図２】動作条件の一例を示す図である。
【図３】動作条件の他の例を示す図である。
【図４】図１の第２端末２０の動作のフローを示す図である。
【図５】本発明の無線通信端末装置を用いたシステムの第２の実施の形態における第２端末２０の動作のフローを示す図である。
【図６】本発明の無線通信端末装置を用いたシステムの第３の実施の形態における第２端末２０の動作のフローを示す図である。
【図７】本発明の無線通信端末装置を用いたシステムの第４の実施の形態の構成を示すシステム構成図である。
【図８】本発明の無線通信端末装置を用いたシステムの第５の実施の形態における第２端末２０の動作のフローを示す図である。
【符号の説明】
２０…第２端末、２１…第２無線通信手段、２２…記憶手段、２３…制御手段、２４…接続部、２５…報知手段、２１…第３無線通信手段、２２１…自端のみでの動作条件、２２２…変更動作条件。
【図１】
0003983472.tif 000002
【図２】
0003983472.tif 000003
【図３】
0003983472.tif 000004
【図４】
0003983472.tif 000005
【図５】
0003983472.tif 000006
【図６】
0003983472.tif 000007
【図７】
0003983472.tif 000008
【図８】
0003983472.tif 000009